【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
ワイヤレスデバイスにおいて行われるワイヤレス通信の方法であって、
ネットワークエンティティを用いて動的カバレージ拡張（ＣＥ）構成を確立することと、
記憶されるべき前記ネットワークエンティティに第１および第２のＣＥレベルインジケータを送ることと、
前記動的ＣＥ構成の第１のＣＥレベルを利用して接続モードで通信することと、
前記ワイヤレスデバイスがアイドルモードに移動する間に前記動的ＣＥ構成の前記第２のＣＥレベルを選択することと、および前記動的ＣＥ構成に少なくとも部分的に基づいて前記第２のＣＥレベルが選択されたという前記ネットワークエンティティへの指示をシグナリングすることを控えることと、
前記アイドルモードにある間に前記第２のＣＥレベルを利用して前記ネットワークエンティティから送信されたページング指示を受信することと
を備える、方法。
【請求項２】
前記ページング指示に少なくとも部分的に基づいて前記第２のＣＥレベルを利用して前記接続モードで通信すること
をさらに備える、請求項１に記載の方法。
【請求項３】
前記ネットワークエンティティを用いて動的ＣＥ構成を確立することが、
動的ＣＥページングのサポートを示すこと
を備える、請求項１に記載の方法。
【請求項４】
前記サポートが基地局に示される、請求項３に記載の方法。
【請求項５】
前記サポート指示が、ユーザ構成、事業者構成、またはその両方に少なくとも部分的に基づく、請求項３に記載の方法。
【請求項６】
前記事業者構成が、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる、請求項５に記載の方法。
【請求項７】
動的ＣＥサポート指示についてのシステム情報を監視すること
をさらに備える、請求項１に記載の方法。
【請求項８】
前記動的ＣＥサポート指示に少なくとも部分的に基づいて基地局が前記動的ＣＥ構成をサポートすると決定することと、
前記決定に少なくとも部分的に基づいて前記アイドルモードにある間に前記基地局を再選択することと
をさらに備える、請求項７に記載の方法。
【請求項９】
前記動的ＣＥサポート指示に少なくとも部分的に基づいて基地局が前記動的ＣＥ構成をサポートしないと決定することと、
前記決定に少なくとも部分的に基づいて前記アイドルモードにある間に前記基地局を再選択することを控えることと
をさらに備える、請求項７に記載の方法。
【請求項１０】
チャネル状態を測定することをさらに備え、ここにおいて、前記第２のＣＥレベルを選択することが、前記チャネル状態に少なくとも部分的に基づく、
請求項１に記載の方法。
【請求項１１】
前記第２のＣＥレベルは、前記第２のＣＥレベルが前記第１のＣＥレベルよりも高いという制限に少なくとも部分的に基づいて選択される、請求項１に記載の方法。
【請求項１２】
動的ＣＥレベルのサポートの前記指示が構成に部分的に依存し、ここで、前記構成がユーザ構成または事業者構成を備え、ここにおいて、前記事業者構成が、汎用加入者識別モジュール（ＵＳＩＭ）においてイネーブルされる動的ＣＥレベルの指示またはＯＭＡ  ＤＭを介した指示を備える、請求項１に記載の方法。
【請求項１３】
ワイヤレスデバイスであって、
ネットワークエンティティを用いて動的カバレージ拡張（ＣＥ）構成を確立するための手段と、
記憶されるべき前記ネットワークエンティティに第１および第２のＣＥレベルインジケータを送るための手段と、
前記動的ＣＥ構成の第１のＣＥレベルを利用して接続モードで通信するための手段と、
前記ワイヤレスデバイスがアイドルモードに移動する間に前記動的ＣＥ構成の前記第２のＣＥレベルを選択するための手段と、および前記動的ＣＥ構成に少なくとも部分的に基づいて前記第２のＣＥレベルが選択されたという前記ネットワークエンティティへの指示をシグナリングすることを控えるための手段と、
前記アイドルモードにある間に前記第２のＣＥレベルを利用して前記ネットワークエンティティから送信されたページング指示を受信するための手段と
を備える、装置。
【請求項１４】
ワイヤレス通信のためのコードを記憶するコンピュータ可読媒体であって、前記コードが、コンピュータによって実行されると、前記コンピュータに、請求項１乃至１２のいずれかに記載の方法を行わせる命令を備える、コンピュータ可読媒体。
【手続補正２】
【補正対象書類名】明細書
【補正対象項目名】０１８４
【補正方法】変更
【補正の内容】
【０１８４】
[0192]  本明細書での説明は、当業者が本開示を作成または使用することをイネーブルするために与えられた。本開示への様々な変更は当業者には容易に明らかとなり、本明細書で定義された一般原理は、本開示の範囲から逸脱することなく他の変形形態に適用され得る。従って、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信の方法であって、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することと
を備える、方法。
［Ｃ２］
前記ページング指示に少なくとも部分的に基づいて前記第２のＣＥレベルを利用して前記接続モードで通信すること
をさらに備える、Ｃ１に記載の方法。
［Ｃ３］
前記ネットワークエンティティを用いて動的ＣＥ構成を確立することが、
動的ＣＥページングのサポートを示すこと
を備える、Ｃ１に記載の方法。
［Ｃ４］
前記サポートが基地局に示される、Ｃ３に記載の方法。
［Ｃ５］
前記サポート指示が、ユーザ構成、事業者構成、またはその両方に少なくとも部分的に基づく、Ｃ３に記載の方法。
［Ｃ６］
前記事業者構成が、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる、Ｃ５に記載の方法。
［Ｃ７］
前記動的ＣＥ構成に少なくとも部分的に基づいて前記第２のＣＥレベルが選択されたという指示をシグナリングすることを控えること
をさらに備える、Ｃ１に記載の方法。
［Ｃ８］
動的ＣＥサポート指示についてのシステム情報を監視すること
をさらに備える、Ｃ１に記載の方法。
［Ｃ９］
前記動的ＣＥサポート指示に少なくとも部分的に基づいて基地局が前記動的ＣＥ構成をサポートすると決定することと、
前記決定に少なくとも部分的に基づいて前記アイドルモードにある間に前記基地局を再選択することと
をさらに備える、Ｃ８に記載の方法。
［Ｃ１０］
前記動的ＣＥサポート指示に少なくとも部分的に基づいて基地局が前記動的ＣＥ構成をサポートしないと決定することと、
前記決定に少なくとも部分的に基づいて前記アイドルモードにある間に前記基地局を再選択することを控えることと
をさらに備える、Ｃ８に記載の方法。
［Ｃ１１］
チャネル状態を測定することをさらに備え、ここにおいて、前記第２のＣＥレベルを選択することが、前記チャネル状態に少なくとも部分的に基づく、
Ｃ１に記載の方法。
［Ｃ１２］
前記第２のＣＥレベルは、前記第２のＣＥレベルが前記第１のＣＥレベルよりも高いという制限に少なくとも部分的に基づいて選択される、Ｃ１に記載の方法。
［Ｃ１３］
動的ＣＥレベルのサポートの前記指示が構成に部分的に依存し、ここで、前記構成がユーザ構成または事業者構成を備え、ここにおいて、前記事業者構成が、汎用加入者識別モジュール（ＵＳＩＭ）においてイネーブルされる動的ＣＥレベルの指示またはＯＭＡ  ＤＭを介した指示を備える、Ｃ１に記載の方法。
［Ｃ１４］
基地局におけるワイヤレス通信の方法であって、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することと
を備える、方法。
［Ｃ１５］
前記ワイヤレスデバイスがアイドルモードにあると決定すること
をさらに備える、Ｃ１４に記載の方法。
［Ｃ１６］
前記決定に少なくとも部分的に基づいて、前記第１のＣＥレベルに従って前記ワイヤレスデバイスのための第３のページングメッセージを送信すること
をさらに備える、Ｃ１４に記載の方法。
［Ｃ１７］
前記ワイヤレスデバイスからメッセージを受信すること
をさらに備える、Ｃ１４に記載の方法。
［Ｃ１８］
前記ワイヤレスデバイスからの前記メッセージに少なくとも部分的に基づいてページング停止要求を送信すること
をさらに備える、Ｃ１７に記載の方法。
［Ｃ１９］
前記第１のページングメッセージをしきい値回数再送信することをさらに備え、ここにおいて、前記第２のページングメッセージを送信することが、前記第１のページングメッセージを前記しきい値回数再送信することに少なくとも部分的に基づく、
Ｃ１４に記載の方法。
［Ｃ２０］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すこと
を備える、Ｃ１４に記載の方法。
［Ｃ２１］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信すること
を備える、Ｃ１４に記載の方法。
［Ｃ２２］
コアネットワークエンティティからＣＥレベル調整インデックスを受信することをさらに備え、ここにおいて、前記第２のＣＥレベルが前記ＣＥレベル調整インデックスに少なくとも部分的に基づく、
Ｃ１４に記載の方法。
［Ｃ２３］
コアネットワークエンティティから前記第１のＣＥレベルに関連する追加情報を受信することをさらに備え、ここにおいて、前記第２のＣＥレベルが前記追加情報に少なくとも部分的に基づく、
Ｃ１４に記載の方法。
［Ｃ２４］
コアネットワークエンティティから動的ＣＥサポート指示を受信すること
をさらに備える、Ｃ１４に記載の方法。
［Ｃ２５］
コアネットワークエンティティから動的ＣＥ値を受信すること
をさらに備える、Ｃ１４に記載の方法。
［Ｃ２６］
前記動的ＣＥ構成を備える無線リソース制御（ＲＲＣ）構成メッセージを前記ワイヤレスデバイスに送信すること
をさらに備える、Ｃ１４に記載の方法。
［Ｃ２７］
ページング情報、動的ＣＥ構成情報、またはその両方を備えるコンテキスト解放完了メッセージをコアネットワークエンティティに送信すること
をさらに備える、Ｃ１４に記載の方法。
［Ｃ２８］
前記第２のＣＥレベルは、前記第２のＣＥレベルが前記第１のＣＥレベルよりも高いという制限に少なくとも部分的に基づく、Ｃ１４に記載の方法。
［Ｃ２９］
ワイヤレス通信のための装置であって、
プロセッサと、
前記プロセッサと電子通信しているメモリと、
前記メモリに記憶され、前記プロセッサによって実行されたとき、前記装置に、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することと
をさせるように動作可能な命令とを備える、装置。
［Ｃ３０］
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することと
をさせるように動作可能な命令とを備える、装置。
［Ｃ３１］
ワイヤレス通信のための装置であって、
ネットワークエンティティを用いて動的カバレージ拡張（ＣＥ）構成を確立するための手段と、
前記動的ＣＥ構成の第１のＣＥレベルを利用して接続モードで通信するための手段と、
アイドルモードにある間に前記動的ＣＥ構成の第２のＣＥレベルを選択するための手段と、
前記アイドルモードにある間に前記第２のＣＥレベルを利用して送信されたページング指示を受信するための手段と
を備える、装置。
［Ｃ３２］
前記装置が、
前記ページング指示に少なくとも部分的に基づいて前記第２のＣＥレベルを利用して前記接続モードで通信するための手段
をさらに備える、Ｃ３１に記載の装置。
［Ｃ３３］
前記ネットワークエンティティを用いて動的ＣＥ構成を確立することが、
動的ＣＥページングのサポートを示すこと
を備える、Ｃ３１に記載の装置。
［Ｃ３４］
前記サポートが基地局に示される、Ｃ３３に記載の装置。
［Ｃ３５］
前記サポート指示が、ユーザ構成、事業者構成、またはその両方に少なくとも部分的に基づく、Ｃ３３に記載の装置。
［Ｃ３６］
前記事業者構成が、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる、Ｃ３５に記載の装置。
［Ｃ３７］
前記装置が、
前記動的ＣＥ構成に少なくとも部分的に基づいて前記第２のＣＥレベルが選択されたという指示をシグナリングすることを控えるための手段
をさらに備える、Ｃ３１に記載の装置。
［Ｃ３８］
前記装置が、
動的ＣＥサポート指示についてのシステム情報を監視するための手段
をさらに備える、Ｃ３１に記載の装置。
［Ｃ３９］
前記装置が、
前記動的ＣＥサポート指示に少なくとも部分的に基づいて基地局が前記動的ＣＥ構成をサポートすると決定するための手段と、
前記決定に少なくとも部分的に基づいて前記アイドルモードにある間に前記基地局を再選択するための手段と
をさらに備える、Ｃ３８に記載の装置。
［Ｃ４０］
前記装置が、
前記動的ＣＥサポート指示に少なくとも部分的に基づいて基地局が前記動的ＣＥ構成をサポートしないと決定するための手段と、
前記決定に少なくとも部分的に基づいて前記アイドルモードにある間に前記基地局を再選択することを控えるための手段と
をさらに備える、Ｃ３８に記載の装置。
［Ｃ４１］
前記装置は、
チャネル状態を測定するための手段をさらに備え、ここにおいて、前記第２のＣＥレベルを選択することが、前記チャネル状態に少なくとも部分的に基づく、
Ｃ３１に記載の装置。
［Ｃ４２］
前記第２のＣＥレベルは、前記第２のＣＥレベルが前記第１のＣＥレベルよりも高いという制限に少なくとも部分的に基づいて選択される、Ｃ３１に記載の装置。
［Ｃ４３］
動的ＣＥレベルのサポートの前記指示が構成に部分的に依存し、ここで、前記構成がユーザ構成または事業者構成を備え、ここにおいて、前記事業者構成が、汎用加入者識別モジュール（ＵＳＩＭ）においてイネーブルされる動的ＣＥレベルの指示またはＯＭＡ  ＤＭを介した指示を備える、Ｃ３１に記載の装置。
［Ｃ４４］
ワイヤレス通信のための装置であって、
ワイヤレスデバイスのための動的ＣＥ構成を識別するための手段と、
前記動的ＣＥ構成の第１のＣＥレベルに従って前記ワイヤレスデバイスのための第１のページングメッセージを送信するための手段と、
前記ワイヤレスデバイスが前記第１のページングメッセージに応答しなかったと決定するための手段と、
前記決定に少なくとも部分的に基づいて、前記動的ＣＥ構成の第２のＣＥレベルに従って前記ワイヤレスデバイスのための第２のページングメッセージを送信するための手段とを備える、装置。
［Ｃ４５］
前記装置が、
前記ワイヤレスデバイスがアイドルモードにあると決定するための手段
をさらに備える、Ｃ４４に記載の装置。
［Ｃ４６］
前記装置が、
前記決定に少なくとも部分的に基づいて、前記第１のＣＥレベルに従って前記ワイヤレスデバイスのための第３のページングメッセージを送信するための手段
をさらに備える、Ｃ４４に記載の装置。
［Ｃ４７］
前記装置が、
前記ワイヤレスデバイスからメッセージを受信するための手段
をさらに備える、Ｃ４４に記載の装置。
［Ｃ４８］
前記装置が、
前記ワイヤレスデバイスからの前記メッセージに少なくとも部分的に基づいてページング停止要求を送信するための手段
をさらに備える、Ｃ４７に記載の装置。
［Ｃ４９］
前記装置は、
前記第１のページングメッセージをしきい値回数再送信するための手段をさらに備え、ここにおいて、前記第２のページングメッセージを送信することが、前記第１のページングメッセージを前記しきい値回数再送信することに少なくとも部分的に基づく、
Ｃ４４に記載の装置。
［Ｃ５０］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すこと
を備える、Ｃ４４に記載の装置。
［Ｃ５１］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信すること
を備える、Ｃ４４に記載の装置。
［Ｃ５２］
前記装置は、
コアネットワークエンティティからＣＥレベル調整インデックスを受信するための手段をさらに備え、ここにおいて、前記第２のＣＥレベルが前記ＣＥレベル調整インデックスに少なくとも部分的に基づく、
Ｃ４４に記載の装置。
［Ｃ５３］
前記装置は、
コアネットワークエンティティからＣＥレベル調整インデックスを受信するための手段をさらに備え、ここにおいて、前記第２のＣＥレベルが前記ＣＥレベル調整インデックスに少なくとも部分的に基づく、
Ｃ４４に記載の装置。
［Ｃ５４］
前記装置は、
コアネットワークエンティティから前記第１のＣＥレベルに関連する追加情報を受信するための手段をさらに備え、ここにおいて、前記第２のＣＥレベルが前記追加情報に少なくとも部分的に基づく、
Ｃ４４に記載の装置。
［Ｃ５５］
前記装置が、
コアネットワークエンティティから動的ＣＥサポート指示を受信するための手段
をさらに備える、Ｃ４４に記載の装置。
［Ｃ５６］
前記装置が、
コアネットワークエンティティから動的ＣＥ値を受信するための手段
をさらに備える、Ｃ４４に記載の装置。
［Ｃ５７］
前記装置が、
前記動的ＣＥ構成を備える無線リソース制御（ＲＲＣ）構成メッセージを前記ワイヤレスデバイスに送信するための手段
をさらに備える、Ｃ４４に記載の装置。
［Ｃ５８］
前記装置が、
ページング情報、動的ＣＥ構成情報、またはその両方を備えるコンテキスト解放完了メッセージをコアネットワークエンティティに送信するための手段
をさらに備える、Ｃ４４に記載の装置。
［Ｃ５９］
前記第２のＣＥレベルは、前記第２のＣＥレベルが前記第１のＣＥレベルよりも高いという制限に少なくとも部分的に基づく、Ｃ４４に記載の装置。
［Ｃ６０］
ワイヤレス通信のためのコードを記憶する非一時的コンピュータ可読媒体であって、前記コードが、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することと
を行うために実行可能な命令を備える、非一時的コンピュータ可読媒体。
［Ｃ６１］
ワイヤレス通信のためのコードを記憶する非一時的コンピュータ可読媒体であって、前記コードが、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することと
を行うために実行可能な命令を備える、非一時的コンピュータ可読媒体。
［Ｃ６２］
コアネットワークエンティティにおけるワイヤレス通信の方法であって、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することと
を備える、方法。
［Ｃ６３］
前記ワイヤレスデバイスがアイドルモードにあると決定すること
をさらに備える、Ｃ６２に記載の方法。
［Ｃ６４］
前記動的ＣＥ構成に関する追加情報を送信することが、
前記決定に少なくとも部分的に基づいて、前記基地局によって使用されるべき、前記ワイヤレスデバイスのための第２のページングメッセージを送信すること
を備える、Ｃ６２に記載の方法。
［Ｃ６５］
前記決定に少なくとも部分的に基づいて、前記第１のＣＥレベルに従って、前記基地局によって使用されるべき、前記ワイヤレスデバイスのための第３のページングメッセージを送信すること
をさらに備える、Ｃ６４に記載の方法。
［Ｃ６６］
前記ワイヤレスデバイスをサービスする基地局に動的ＣＥサポート指示を送信することをさらに備える、Ｃ６２に記載の方法。
［Ｃ６７］
前記ワイヤレスデバイスをサービスする基地局に動的ＣＥ値を送信すること
をさらに備える、Ｃ６２に記載の方法。
［Ｃ６８］
前記動的ＣＥ構成を識別することが、
ページング情報または動的ＣＥ構成情報、あるいはその両方を備えるコンテキスト解放完了メッセージを基地局から受信すること
を備える、Ｃ６２に記載の方法。
［Ｃ６９］
前記第１のページングメッセージまたは前記第２のページングメッセージを送信することが、
トラッキングエリア中の基地局のセットにページング要求を送ること
を備える、Ｃ６４に記載の方法。
［Ｃ７０］
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することと
をさせるように動作可能な命令とを備える、装置。
［Ｃ７１］
ワイヤレス通信のための装置であって、
ワイヤレスデバイスのための動的ＣＥ構成を識別するための手段と、
前記動的ＣＥ構成の第１のＣＥレベルに従って、基地局によって使用されるべき、前記ワイヤレスデバイスのための第１のページングメッセージを送信するための手段と、
前記ワイヤレスデバイスが前記第１のページングメッセージに応答しなかったと決定するための手段と、
前記決定に少なくとも部分的に基づいて前記動的ＣＥ構成に関する追加情報を送信するための手段と
を備える、装置。
［Ｃ７２］
前記装置が、
前記ワイヤレスデバイスがアイドルモードにあると決定するための手段
をさらに備える、Ｃ７１に記載の装置。
［Ｃ７３］
前記装置が、
前記決定に少なくとも部分的に基づいて、前記基地局によって使用されるべき、前記ワイヤレスデバイスのための第２のページングメッセージを送信するための手段
をさらに備える、Ｃ７１に記載の装置。
［Ｃ７４］
前記装置が、
前記決定に少なくとも部分的に基づいて、前記第１のＣＥレベルに従って、前記基地局によって使用されるべき、前記ワイヤレスデバイスのための第３のページングメッセージを送信するための手段
をさらに備える、Ｃ７１に記載の装置。
［Ｃ７５］
前記装置が、
前記ワイヤレスデバイスをサービスする基地局に動的ＣＥサポート指示を送信するための手段
をさらに備える、Ｃ７１に記載の装置。
［Ｃ７６］
前記装置が、
前記ワイヤレスデバイスをサービスする基地局に動的ＣＥ値を送信するための手段
をさらに備える、Ｃ７１に記載の装置。
［Ｃ７７］
前記動的ＣＥ構成を識別することが、
ページング情報または動的ＣＥ構成情報、あるいはその両方を備えるコンテキスト解放完了メッセージを基地局から受信すること
を備える、Ｃ７１に記載の装置。
［Ｃ７８］
前記第１のページングメッセージまたは前記第２のページングメッセージを送信することが、
トラッキングエリア中の基地局のセットにページング要求を送ること
を備える、Ｃ７１に記載の装置。
［Ｃ７９］
ワイヤレス通信のためのコードを記憶する非一時的コンピュータ可読媒体であって、前記コードが、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することと
を行うために実行可能な命令を備える、非一時的コンピュータ可読媒体。